(57)【要約】  本発明は、マルチウェイスイッチ、無線周波数システム及び無線通信装置を提供する。マルチウェイスイッチは、６つのＴポート及び４つのＰポートを含む。６つのＴポートは２つの第一Ｔポートを含み、２つの第一Ｔポートのそれぞれは４つのＰポートに全部結合される。２つの第一Ｔポートは、送信機能のみをサポートする。マルチウェイスイッチは、デュアル周波数デュアル送信モードで動作可能な無線通信装置の無線周波数回路及びアンテナシステムに結合されるように構成される。アンテナシステムは、４つのＰポートに対応する４つのアンテナを含む。
2021507638.tif 000002
【特許請求の範囲】
【請求項１】
マルチウェイスイッチ１０であって、
６つのＴポート及び４つのＰポートを含み、前記６つのＴポートは２つの第一Ｔポートを含み、前記２つの第一Ｔポートのそれぞれは前記４つのＰポートに全部結合され、前記２つの第一Ｔポートは送信機能のみをサポートし、
前記マルチウェイスイッチは、デュアル周波数デュアル送信モードで動作可能な無線通信装置１００の無線周波数回路３０及びアンテナシステム２０に結合されるように構成され、前記アンテナシステムは前記４つのＰポートに対応する４つのアンテナを含む、
ことを特徴とするマルチウェイスイッチ。
【請求項２】
前記６つのＴポートは４つの第二Ｔポートをさらに含み、前記４つの第二Ｔポートのそれぞれは、別々に前記４つのＰポートのうちの対応するＰポートに結合され、前記４つの第二Ｔポートのうちの同じ周波数帯域のＴポートは異なるＰポートに結合され、
前記４つのＰポートのそれぞれは、前記４つのアンテナのうちの対応するアンテナに結合され、前記第二Ｔポートは受信機能のみをサポートする、
ことを特徴とする請求項１に記載のマルチウェイスイッチ。
【請求項３】
前記無線通信装置の無線周波数回路は、論理的に２つの送信集積回路と４つの受信集積回路を含み、
前記無線周波数回路は、物理的に２つの独立回路モジュールを含み、
各独立回路モジュールは、１つの送信集積回路及び２つの受信集積回路を含み、
前記送信集積回路は異なる周波数帯域で動作する２つの送信回路を含み、前記２つの送信回路は統合されて前記２つの送信回路が属する独立回路モジュールの１つの第一ポートに結合され、各受信集積回路は２つの受信回路を含み、前記２つの受信回路は統合されて前記２つの受信回路が属する独立回路モジュールの１つの第二ポートに結合される、
ことを特徴とする請求項２に記載のマルチウェイスイッチ。
【請求項４】
各受信集積回路は単極双投（ＳＰＤＴ）スイッチを介して統合された２つの受信回路によって構成され、前記ＳＰＤＴスイッチは２つの出力ポート及びフィルタの出力ポートに結合された１つの入力ポートを有し、各出力ポートは前記２つの受信回路のうちの１つの受信回路の低雑音増幅器（ＬＮＡ）の入力ポートに結合され、前記フィルタは前記独立回路モジュールの第二ポートに結合された入力ポートを有し、
各送信集積回路は、ＳＰＤＴスイッチを介して統合された２つの送信回路によって構成され、２つの送信回路は異なる周波数帯域で動作し且つカプラの入力ポートを共有し、前記カプラは前記独立回路モジュールの第一ポートに結合された出力ポートを有する、
ことを特徴とする請求項３に記載のマルチウェイスイッチ。
【請求項５】
各第一ポートは対応する１つの第一Ｔポートに結合され、
各第二ポートは対応する１つの第二Ｔポートに結合される、
ことを特徴とする請求項３に記載のマルチウェイスイッチ。
【請求項６】
前記無線通信装置の無線周波数回路は、論理的に２つの送信集積回路及び４つの受信集積回路を含み、
前記無線周波数回路は、物理的に３つの独立回路モジュールを含み、
前記３つの独立回路モジュールは、２つの第一独立回路モジュール及び１つの第二独立回路モジュールを含み、
各第一独立回路モジュールは１つの送信集積回路を含み、前記送信集積回路は異なる周波数帯域で動作する２つの送信回路を含み、前記２つの送信回路は統合されて前記２つの送信回路が属する第一独立回路モジュールの１つの第一ポートに結合され、
前記第二独立回路モジュールは４つの受信集積回路を含み、各受信集積回路は２つの受信回路を含み、前記２つの受信回路は統合されて前記第二独立回路モジュールの１つの第二ポートに結合される、
ことを特徴とする請求項２に記載のマルチウェイスイッチ。
【請求項７】
前記無線通信装置の無線周波数回路は、論理的に２つの送信集積回路及び４つの受信集積回路を含み、
前記無線周波数回路は、物理的に３つの独立回路モジュールを含み、
前記３つの独立回路モジュールは、２つの第一独立回路モジュール及び１つの第二独立回路モジュールを含み、
各第一独立回路モジュールは１つの送信集積回路及び１つの受信集積回路を含み、前記送信集積回路は異なる周波数帯域で動作する２つの送信回路を含み、前記２つの送信回路は統合されて前記２つの送信回路が属する前記第一独立回路モジュールの１つの第一ポートに結合され、前記受信集積回路は２つの受信回路を含み、前記２つの受信回路は統合されて前記２つの受信回路が属する前記第一独立回路モジュールの１つの第二ポートに結合され、
前記第二独立回路モジュールは２つの受信集積回路を含み、各受信集積回路は２つの受信回路を含み、前記２つの受信回路は統合されて前記第二独立回路モジュールの１つの第二ポートに結合される、
ことを特徴とする請求項２に記載のマルチウェイスイッチ。
【請求項８】
前記無線通信装置の無線周波数回路は、論理的に２つの送信集積回路及び４つの受信集積回路を含み、
前記無線周波数回路は、物理的に４つの独立回路モジュールを含み、
前記４つの独立回路モジュールは、２つの第一独立回路モジュール及び２つの第二独立回路モジュールを含み、
各第一独立回路モジュールは１つの送信集積回路及び１つの受信集積回路を含み、前記送信集積回路は異なる周波数帯域で動作する２つの送信回路を含み、前記２つの送信回路は統合されて前記２つの送信回路が属する前記第一独立回路モジュールの１つの第一ポートに結合され、前記受信集積回路は２つの受信回路を含み、前記２つの受信回路は統合されて前記２つの受信回路が属する前記第一独立回路モジュールの１つの第二ポートに結合され、
各第二独立回路モジュールは１つの受信集積回路を含み、前記受信集積回路は２つの受信回路を含み、前記２つの受信回路は統合されて前記２つの受信回路が属する前記第二独立回路モジュールの１つの第二ポートに結合される、
ことを特徴とする請求項２に記載のマルチウェイスイッチ。
【請求項９】
前記無線通信装置の無線周波数回路は、論理的に２つの送信集積回路及び４つの受信集積回路を含み、
前記無線周波数回路は、物理的に６つの独立回路モジュールを含み、
前記６つの独立回路モジュールは、２つの第一独立回路モジュール及び４つの第二独立回路モジュールを含み、
各第一独立回路モジュール１つの送信集積回路を含み、前記送信集積回路は異なる周波数帯域で動作する２つの送信回路を含み、前記２つの送信回路は統合されて前記２つの送信回路が属する前記第一独立回路モジュールの１つの第一ポートに結合され、
各第二独立回路モジュールは１つの受信集積回路を含み、前記受信集積回路は２つの受信回路を含み、前記２つの受信回路は統合されて前記２つの受信回路が属する前記第二独立回路モジュールの１つの第二ポートに結合される、
ことを特徴とする請求項２に記載のマルチウェイスイッチ。
【請求項１０】
前記マルチウェイスイッチは、前記無線周波数回路及び前記アンテナシステムに結合されて前記無線通信装置のプリセット機能を実現し、前記プリセット機能は４つのアンテナによってサウンディングリファレンス信号（ＳＲＳ）を順番に送信する機能である、
ことを特徴とする請求項１に記載のマルチウェイスイッチ。
【請求項１１】
無線周波数システムであって、
アンテナシステムと、無線周波数回路と、請求項１〜１０のいずれか一項に記載のマルチウェイスイッチと、を含む、
ことを特徴とする無線周波数システム。
【請求項１２】
無線通信装置であって、
アンテナシステムと、無線周波数トランシーバと、無線周波数トランシーバに結合された無線周波数回路と、請求項１〜１０のいずれか一項に記載のマルチウェイスイッチと、を含む、
ことを特徴とする無線通信装置。
【発明の詳細な説明】
【技術分野】
【０００１】
本発明は、通信技術分野に関し、さらに具体的に、マルチウェイスイッチ、無線周波数システム及び無線通信装置に関する。
【背景技術】
【０００２】
スマートフォンなどの無線通信装置が広く使用されることに伴って、スマートフォンがサポートすることができるアプリケーションはだんだん多くなり、且つ機能も強力になっている。スマートフォンは、多様化、パーソナライズされた方向に向かって発展し、ユーザーの生活に不可欠な電子製品になっている。第四世代（ｔｈｅ  ４ｔｈ  Ｇｅｎｅｒａｔｉｏｎ，４Ｇ）の移動通信システムにおいて、無線通信装置は一般的にシングルアンテナ又は二重アンテナの無線周波数（ＲＦ）システムアーキテクチャを採用している。現在、第五世代（ｔｈｅ  ５ｔｈ  Ｇｅｎｅｒａｔｉｏｎ，５Ｇ）の移動通信システムの新しいラジオ（Ｎｅｗ  Ｒａｄｉｏ，ＮＲ）システムにおいて、４アンテナ無線周波数システムアーキテクチャをサポートする需要が提案されている。
【発明の概要】
【０００３】
本発明の実施形態は、マルチウェイスイッチ、無線周波数システム及び無線通信装置を提供する。
【０００４】
第一態様において、本発明の実施形態は、マルチウェイスイッチを提供する。マルチウェイスイッチは、６つのＴポート及び４つのＰポートを含む。６つのＴポートは２つの第一Ｔポートを含み、２つの第一Ｔポートのそれぞれは４つのＰポートに全部結合される。２つの第一Ｔポートは、送信機能のみをサポートする。
【０００５】
マルチウェイスイッチは、デュアル周波数デュアル送信モードで動作可能な無線通信装置の無線周波数回路及びアンテナシステムに結合されるように構成される。アンテナシステムは、４つのＰポートに対応する４つのアンテナを含む。
【０００６】
第二態様において、本発明の実施形態は、無線周波数システムを提供する。無線周波数システムは、アンテナシステムと、無線周波数回路と、無線周波数回路及びアンテナシステムに結合されたマルチウェイスイッチと、を含む。
【０００７】
マルチウェイスイッチは、６つのＴポート及び４つのＰポートを含む。６つのＴポートは、送信機能のみをサポートする２つの第一Ｔポートと、受信機能のみをサポートする４つの第二Ｔポートを含み、２つの第一Ｔポートのそれぞれは４つのＰポートに全部接続される。アンテナシステムは、４つのＰポートに対応する４つのアンテナを含む。
【０００８】
マルチウェイスイッチは、４つのアンテナによってＳＲＳを順番に送信するプリセット機能を実現するために用いられる。
【０００９】
第三態様において、本発明の実施形態は、無線通信装置を提供する。無線通信装置は、アンテナシステムと、無線周波数トランシーバと、無線周波数トランシーバに結合された無線周波数回路と、無線周波数回路及びアンテナシステムに結合されたマルチウェイスイッチと、を含む。
【００１０】
マルチウェイスイッチは、６つのＴポート及び４つのＰポートを含む。６つのＴポートは２つの第一Ｔポートを含み、２つの第一Ｔポートのそれぞれは４つのＰポートに全部接続される。２つの第一Ｔポートは、送信機能のみをサポートする。アンテナシステムは、４つのＰポートに対応する４つのアンテナを含む。
【００１１】
マルチウェイスイッチは、４つのアンテナによってＳＲＳを順番に送信するプリセット機能を実現するために用いられる。
【００１２】
本発明の実施例において、無線通信装置は、アンテナシステムと、無線周波数回路と、マルチウェイスイッチと、を含む。アンテナシステムは、４つのアンテナを含む。マルチウェイスイッチは、６つのＴポート及び４つのＰポートを含む。マルチウェイスイッチは、無線周波数回路及びアンテナシステムに結合されて無線通信装置のプリセット機能を実現し、プリセット機能は４つのＰポートに対応する４つのアンテナによってＳＲＳを順番に送信する機能である。
【図面の簡単な説明】
【００１３】
以下、本発明の実施形態又は従来の技術の技術方案をより明確に説明するために、本発明の実施形態又は従来の技術の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明の実施形態に係わるマルチウェイスイッチの構造を示す概略図である。
【図２】図２は、本発明の実施形態に係わる簡略化された４Ｐ６Ｔスイッチの構造を示す概略図である。
【図３】図３は、本発明の実施形態に係わる４Ｐ６Ｔスイッチの構造を示す概略図である。
【図４Ａ】図４Ａは、本発明の実施形態に係わる４Ｐ６Ｔスイッチに対応する２つの独立回路モジュールの構造を示す概略図である。
【図４Ｂ】図４Ｂは、本発明の実施形態に係わる４Ｐ６Ｔスイッチに対応する３つの独立回路モジュールの構造を示す概略図である。
【図４Ｃ】図４Ｃは、本発明の実施形態に係わる４Ｐ６Ｔスイッチに対応する別の３つの独立回路モジュールの構造を示す概略図である。
【図４Ｄ】図４Ｄは、本発明の実施形態に係わる４Ｐ６Ｔスイッチに対応する４つの独立回路モジュールの構造を示す概略図である。
【図４Ｅ】図４Ｅは、本発明の実施形態に係わる４Ｐ６Ｔスイッチに対応する６つの独立回路モジュールの構造を示す概略図である。
【図５】図５は、本発明の実施形態に係わる無線周波数システムの構造を示す概略図である。
【図６】図６は、本発明の実施形態に係わる無線通信装置のアンテナシステムの構造を示す概略図である。
【図７】図７は、本発明の実施形態に係わる無線通信装置の別のアンテナシステムの構造を示す概略図である。
【図８】図８は、本発明の別の実施形態に係わる無線周波数システムの構造を示す概略図である。
【図９】図９は、本発明の実施形態に係わる無線通信装置の構造を示す概略図である。
【図１０】図１０は、本発明の実施形態に係わる無線通信装置のアンテナを再利用するための無線充電受信機を示す概略図である。
【図１１】図１１は、本発明の実施形態に係わる４つのアンテナを含むループアレイアンテナの構造を示す概略図である。
【発明を実施するための形態】
【００１４】
以下、本発明の実施形態の添付の図面を参照しながら、本発明の実施形態の技術的方案を明確且つ完全に説明する。明らかに、説明される実施形態は、本発明の一部の実施形態だけのものであり、全ての実施形態ではない。本明細書に説明される実施形態から創造的な努力なしに当業者が得ることができるすべての別の実施形態は、本発明の範囲に属する。
【００１５】
本願の明細書、特許請求の範囲及び図面で使用される用語「第一」、「第二」などは、特定の順序を説明するために用いられなく、異なる対象を区別するために用いられる。用語「備える」、「含む」、「有する」及びそれらの変形は、非排他的包含を網羅することを意図する。例えば、一連のステップ又はユニットを含むプロセス、方法、システム、製品、又は装置は、リストされたステップ又はユニットに限定されず、選択的に、リストされていない他のステップ又はユニットを含むことができ、又は、選択的に、これらのプロセス、方法、製品、又はデバイスに固有する他のステップ又はユニットを含むことができる。
【００１６】
本明細書で言及される「実施例」又は「実施形態」という用語は、実施形態に関連して説明される特定の特徴、構造、又は特性が本願の少なくとも１つの実施形態に含まれ得ることを意味する。本明細書の各々の場所に現れるこの用語は、必ず同じ実施形態を指すものではなく、他の実施形態と相互に排他的な独立した又は代替実施形態を指すものでもない。本明細書に記載された実施形態は他の実施形態と組み合わせることができることは、当業者によって明示的及び暗黙的に理解される。
【００１７】
本発明の実施形態に係わる無線通信装置は、電子装置、基地局又はサーバーなどを含むことができる。電子装置は、無線通信機能を有する様々なハンドヘルドデバイス、車載デバイス、ウェアラブルデバイス（スマートウォッチ、モバイルパワー、ワイヤレスヘッドセット、スマートブレスレット、スマートイヤリング、脳波取得デバイス、スマート補聴器、スマートリング、スマートネックレス、スマートブレスレット、バーチャルリアリティ（ＶＲ）デバイスなど）、ワイヤレス充電レシーバー、コンピューティングデバイス又はワイヤレスモデムに接続された他の処理デバイス、及び様々な形態のユーザ装置（Ｕｓｅｒ Ｅｑｕｉｐｍｅｎｔ，ＵＥ）、モバイルステーション（Ｍｏｂｉｌｅ Ｓｔａｔｉｏｎ，ＭＳ）、端末装置（ｔｅｒｍｉｎａｌ ｄｅｖｉｃｅ）などを含むことができる。便利に説明するために、上記のデバイスを総称して無線通信装置と呼ぶ。
【００１８】
現在、携帯電話の４つのアンテナを切り替えてサウンディングリファレンス信号（ｓｏｕｎｄｉｎｇ ｒｅｆｅｒｅｎｃｅ ｓｉｇｎａｌｓ、ＳＲＳ）を送信する機能は、中国移動通信グループ（Ｃｈｉｎａ  Ｍｏｂｉｌｅ  Ｃｏｍｍｕｎｉｃａｔｉｏｎｓ  Ｇｒｏｕｐ  Ｃｏ．，Ｌｔｄ，ＣＭＣＣ）が「中国移動５Ｇ規模試験技術白書−端末」における必須オプションであり、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ，３ＧＰＰ）ではオプションであり、その主な目的は、基地局が携帯電話の４つのアンテナのアップリンク信号を測定することにより、４つのチャネルの品質とパラメータを確認し、チャネルの相互関係に応じて４つのチャネルに対してダウンリンク大規模多入力多出力（Ｍｕｌｔｉｐｌｅ−Ｉｎｐｕｔ  Ｍｕｌｔｉｐｌｅ−Ｏｕｔｐｕｔ，ＭＩＭＯ）アンテナアレイのビームフォーミングを実行して、最後にダウンリンク４×４ＭＩＭＯが最適なデータ伝送性能を獲得するようにすることである。
【００１９】
４つのアンテナでのＳＲＳスイッチングの要件を満たすために、本発明の実施形態は、簡略化された４Ｐ６Ｔアンテナスイッチに基づく無線周波数アーキテクチャを提供する。３Ｐ３Ｔ/ＤＰＤＴ/マルチウェイ小型スイッチスイッチングスキームと比較すると、本開示のスイッチングスキームは、各経路の直列に接続されたスイッチの数を減らすことができ（全部又は一部のスイッチを４Ｐ６Ｔスイッチに統合する）、リンク損失を減らして、端末装置全体の送信及び受信性能を最適化する。以下、本発明の実施形態を詳細に説明する。
【００２０】
図１は、本発明の実施形態に係わるマルチウェイスイッチ１０の構造を示す概略図である。マルチウェイスイッチ１０は、６つのＴポート及び４つのＰポートを含む。６つのＴポートは、送信機能のみをサポートする２つの第一Ｔポートを含み、２つの第一Ｔポートのそれぞれはすべての４つのＰポートに結合される（即ち、全部結合される（ｆｕｌｌｙ-ｃｏｕｐｌｅｄ））。残りの４つのＴポートと４つのＰポートは１対１で対応して結合され、従って残りの４つのＴポートのうちの任意の２つのＴポートは異なるＰポートに結合される。マルチウェイスイッチ１０は、デュアル周波数デュアル送信モードで動作可能な無線通信装置１００に適用可能である。無線通信装置１００は、アンテナシステム２０及び無線周波数回路３０を含む。アンテナシステム２０は、４つのアンテナを含む。４つのアンテナは、４つのＰポートに対応する。具体的には、４つのアンテナと４つのＰポートは１対１で対応される。
【００２１】
マルチウェイスイッチ１０は、無線周波数回路３０及びアンテナシステム２０に結合されて、無線通信装置１００のプリセット機能を実現するために用いられる。プリセット機能は、４つのアンテナによってＳＲＳを順番に送信する機能であり、４ポートＳＲＳ機能であると理解できる。
【００２２】
本発明の「Ｐポート」は、「極ポート（ｐｏｌｅ  ｐｏｒｔ）」の略語であり、マルチウェイスイッチにおけるアンテナに結合されたポートを指す。本発明の「Ｔポート」は、「スローポート（ｔｈｒｏｗ  ｐｏｒｔ）」の略語であり、マルチウェイスイッチにおける無線周波数モジュールに結合されたポートを指す。例えば、マルチウェイスイッチは４Ｐ６Ｔスイッチである。本明細書の「モジュール」は、回路及び関連するコンポーネントの任意の組み合わせを指すことができる。図２に示されたように、４つのＰポートは、Ｐポート１、Ｐポート２、Ｐポート３、Ｐポート４であり、６つのＴポートは、Ｔポート１、Ｔポート２、Ｔポート３、Ｔポート４、Ｔポート５、Ｔポート６である。具体的には、図２に示されたように、Ｔポート１は第一水平線に沿って右へ延在され且つ実点aで第三垂直線と交差し、実点aを介して、Ｔポート１は別々にＰポート１、Ｐポート２、Ｐポート３及びＰポート４に結合される。Ｔポート２は第二水平線に沿って右へ延在され且つ実点ｂで第二垂直線と交差し、実点ｂを介して、Ｔポート２は別々にＰポート１、Ｐポート２、Ｐポート３及びＰポート４に結合される。
【００２３】
本発明の実施形態で説明するマルチウェイスイッチのＴポートとＰポートの間の結合（ｃｏｕｐｌｉｎｇ）、全部結合（ｆｕｌｌｙ  ｃｏｕｐｌｅｄ）、又は他の種類の結合の概念は、Ｔポートが第一スイッチトランジスタによってＰポートに結合されることを指す。１つのＴポート又は１つのＰポートは、第二スイッチトランジスタの１つのポートであることができる。第一スイッチトランジスタは、ＴポートとＰポートとの間の単方向導通状態（ＴポートからＰポートへの単方向導通状態及びＰポートからＴポートへの単方向導通状態を含む）を制御するするために用いられる。第一スイッチトランジスタは、例えば、３つの電界効果トランジスタ（例えば、金属酸化物半導体（ＭＯＳ）トランジスタ）からなるスイッチアレイであることができる。第一スイッチトランジスタが切断され且つ接地されていない場合、寄生パラメータは、導通されている他のポートの性能に影響を与える。従って、第一スイッチトランジスタは３つのＭＯＳトランジスタで構成され、３つのＭＯＳトランジスタは共通のソース（ｃｏｍｍｏｎ  ｓｏｕｒｃｅ）に接続され、つまり共通のソースに結合されることができる。第一スイッチトランジスタが切断されると、両側のＭＯＳトランジスタが切断され、中央の１つのＭＯＳトランジスタが接地される。第二スイッチトランジスタは、対応するポート（Ｔポート又はＰポート）を有効にするために用いられる。第二スイッチトランジスタは、例えば、ＭＯＳトランジスタであることができる。ここで、第一スイッチトランジスタ及び第二スイッチトランジスタの具体的な形態は限定されない。１つの実施形態において、無線通信装置１００は、第一スイッチトランジスタによって、ＴポートとＰポートとの間の経路の導通を制御することができる。１つの実施形態において、無線通信装置１００は、マルチウェイスイッチ１０のスイッチトランジスタに結合される専用のコントローラを設置することができる。
【００２４】
Ｔポートに対して、「全部結合（ｆｕｌｌｙ  ｃｏｕｐｌｅｄ）」という概念を定義し、「全部結合」とは、１つのＴポートがすべてのＰポートに結合されることを意味する。「第一Ｔポートは全部結合されたポートである」とは、２つの第一Ｔポートのそれぞれはすべての４つのＰポートに結合されることを意味する。
【００２５】
次に、４つのＰポートに対応する４つのアンテナによってＳＲＳを順番に送信する機能は、無線通信装置はポーリングメカニズムに基づいて基地局と対話して各アンテナに対応するアップリンクチャネルの品質を確定する過程を示す。
【００２６】
1.      無線通信装置は、５Ｇ ＮＲをサポートする携帯電話又は他の端末装置であることができ、例えば、ＣＰＥ（Ｃｕｓｔｏｍｅｒ  Ｐｒｅｍｉｓｅ  Ｅｑｕｉｐｍｅｎｔ）又はＭＩＦＩ（Ｍｏｂｉｌｅ  Ｗｉｆｉ）である。
【００２７】
「デュアル周波数デュアル送信モード」は、無線通信装置がデュアル周波数帯域−２アップリンク（ＵＬ）送信経路又はデュアル周波数帯域−４ダウンリンク（ＤＬ）受信経路をサポートすることができる動作モードを指す。
【００２８】
マルチウェイスイッチ１０は、電界効果トランジスタを含む。６つのＴポートのうちの２つのＴポートは４つのＰポートに全部結合され、他の各Ｔポートは１つのアンテナのみに固定的に結合されて、受信するために用いられるので、４Ｐ６Ｔスイッチの内蔵電界効果トランジスタ（ＦＥＴ）の数量、体積及びコストを削減でき、性能を向上させる。便利に説明するために、４つのＰポートに全部結合された第一Ｔポートの数量をｍとして定義する。以下、詳細に説明する。
【００２９】
例えば、マルチウェイスイッチは６つのＴポートを含み、ｍ＝２（つまり、６つのＴポートに２つの第一Ｔポートが含まれる）であると仮定し、マルチウェイスイッチは電界効果トランジスタを含み、６つのＴポートのうちの２つの第一Ｔポートのそれぞれは４つのＰポートに全部結合され、４つの第二Ｔポートのそれぞれは対応する１つのＰポートに結合される場合、図２に示されたマルチウェイスイッチの構造を示す概略図のように、マルチウェイスイッチのＭＯＳトランジスタの数量は、６＋（２＊４＋（６−２）＊１）＊３＋４＝４６である。
【００３０】
４つのＰポートに全部結合されるＴポートの数量（即ち、全部結合されるＴポート）を制限することにより、無線通信装置１００の無線周波数システムのスイッチの数量を効果的に減少することができる。全部結合されるＴポートの数量は、無線周波数システムの性能に大きな影響を与える。
【００３１】
さらに、無線通信装置１００は、無線周波数トランシーバをさらに含む。無線周波数トランシーバは、無線周波数回路３０に結合される。
【００３２】
見て分かるように、本開示の実施形態によれば、無線通信装置１００は、アンテナシステム２０、無線周波数回路３０及びマルチウェイスイッチ１０を含む。アンテナシステム２０は、４つのアンテナを含む。マルチウェイスイッチ１０は、６つのＴポート及び４つのＰポートを含む。４つのアンテナは４つのＰポートに対応する。マルチウェイスイッチ１０は、無線周波数回路３０及びアンテナシステム２０に結合されて無線通信装置１００のプリセット機能を実現し、プリセット機能は４つのＰポートに対応する４つのアンテナによってＳＲＳを順番に送信する機能である。
【００３３】
１つの可能な実施形態において、２つの第一Ｔポートに加えて、６つのＴポートは４つの第二Ｔポートをさらに含む。４つの第二Ｔポートのそれぞれは、別々に４つのＰポートのうちの対応するＰポートに結合される。即ち、４つの第二Ｔポートと４つのＰポートは１対１で対応して結合される。４つの第二Ｔポートのうちの同じ周波数帯域のＴポートは、異なるＰポートに結合される。４つのＰポートのそれぞれは、４つのアンテナのうちの対応するアンテナに結合される。即ち、１つのＰポートは１つのアンテナに結合され、任意の２つのＰポートは異なるアンテナに結合される。図３に示されたように、２つの第一Ｔポートは送信機能（即ち、信号送信機能）をサポートすることができ、４つの第二Ｔポートは受信機能（即ち、信号受信機能）のみをサポートすることができる。
【００３４】
便利に説明するために、以下の図面では、Ｎｘは１つの周波数帯域を表し、Ｎｙは別の周波数帯域を表す。
【００３５】
１つの実施形態において、「４つの第二Ｔポートにおいて、同じ周波数帯域の任意の２つの第二Ｔポートは異なるＰポートに結合される」という表現は、４つの第二Ｔポートにおける同じ周波数帯域で動作可能な第二Ｔポートは異なるＰポートに結合されることを意味する。例えば、第二Ｔポート１が第一周波数帯域で動作し、第二Ｔポート２も第一周波数帯域で動作する場合、第二Ｔポート１はＰポート１に結合され、第二Ｔポート２はＰポート２に結合され、Ｐポート１とＰポート２は異なる。
【００３６】
１つの可能な実施形態において、マルチウェイスイッチ１０は電界効果トランジスタを含み、マルチウェイスイッチ１０に４６個の電界効果トランジスタが設置される。
【００３７】
１つの可能な実施形態において、図４Ａに示されたように、無線周波数回路３０は、物理的に２つの独立回路モジュールＡを含む。無線通信装置１００の無線周波数回路３０は、論理的に２つの送信集積回路と４つの受信集積回路を含む。無線周波数回路３０は、物理的に２つの独立回路モジュールＡを含む。２つの独立回路モジュールＡは送信ポートを含み、各送信ポートは対応する第一Ｔポートに結合され、即ち、複数の送信ポートは２つの第一Ｔポートに１対１で対応して結合される。２つの独立回路モジュールＡは受信ポートを含み、各受信ポートは対応する第二Ｔポートに結合され、即ち、複数の受信ポートは４つの第二Ｔポートに１対１で対応して結合される。「送信ポート」は、対応する送信機能を実現し、送信回路を統合した後の経路上に位置するポート（１つ以上のコンポーネントから構成されることができる）を指す。「受信ポート」は、対応する受信機能を実現し、受信回路を統合した後の経路上に位置するポート（１つ以上のコンポーネントから構成されることができる）を指す。図面に示されたポート（送信ポート及び受信ポートなど）は例示的なものであり、ポートの正確な位置を示し且つ限定することを意図しないことに留意されたい。
【００３８】
１つの実施形態において、各独立回路モジュールＡは、１つの送信集積回路及び２つの受信集積回路を含む。送信集積回路は異なる周波数帯域で動作する２つの送信回路を含み、２つの送信回路は統合されて対応する独立回路モジュールＡの１つの第一ポートに結合される。対応する独立回路モジュールＡは、２つの送信回路が属する独立回路モジュールを指す。各受信集積回路は２つの受信回路を含み、２つの受信回路は統合されて２つの受信回路が属する独立回路モジュールＡの１つの第二ポートに結合される。
【００３９】
これらの第一ポートは、２つの第一Ｔポートに１対１で対応して結合される。これらの第二ポートは、４つの第二Ｔポートに１対１で対応して結合される。換言すると、各第一ポートは対応する１つの第一Ｔポートに結合され、各第二ポートは対応する１つの第二Ｔポートに結合される。
【００４０】
本実施形態において、同じ周波数帯域の２つのパワーアンプ（ＰＡ）は同時に動作することができるので（ＵＬ ＭＩＭＯモードに対応する）、送信電力が高くなり、２つの信号が互いに干渉する。さらに、２つのＰＡが同時に動作すると、放熱効率を影響する。従って、送信回路のＰＡを２つの独立回路モジュールに配置することを必要とする。異なる周波数帯域の送信回路のＰＡは同時に動作しないので、異なる周波数帯域の２つのＰＡを同じ独立回路モジュールに配置することができる。これは、干渉を減らし、無線周波数システムの信号処理効率と放熱効率を向上させることに役立つ。
【００４１】
別の可能な実施形態において、図４Ｂに示されたように、無線通信装置１００の無線周波数回路３０は、論理的に２つの送信集積回路及び４つの受信集積回路を含む。無線周波数回路３０は、物理的に３つの独立回路モジュールを含む。３つの独立回路モジュールは、２つの第一独立回路モジュール及び１つの第二独立回路モジュールを含む。本実施形態において、第一独立回路モジュールは独立回路モジュールＢとして具現され、第二独立回路モジュールは独立回路モジュールＣとして具現される。各独立回路モジュールＢは、１つの送信集積回路を含む。送信集積回路は異なる周波数帯域で動作する２つの送信回路を含み、２つの送信回路は統合されて２つの送信回路が属する独立回路モジュールＢの１つの第一ポートに結合される。独立回路モジュールＣは４つの受信集積回路を含む。各受信集積回路は２つの受信回路を含み、２つの受信回路は統合されて独立回路モジュールＣの１つの第二ポートに結合される。
【００４２】
１つの可能な実施形態において、図４Ｃに示されたように、無線通信装置１００の無線周波数回路３０は、論理的に２つの送信集積回路及び４つの受信集積回路を含む。無線周波数回路３０は、物理的に３つの独立回路モジュールを含む。３つの独立回路モジュールは、２つの第一独立回路モジュール及び１つの第二独立回路モジュールを含む。本実施形態において、第一独立回路モジュールは独立回路モジュールＤとして具現され、第二独立回路モジュールは独立回路モジュールＥとして具現される。各独立回路モジュールＤは、１つの送信集積回路及び１つの受信集積回路を含む。送信集積回路は異なる周波数帯域で動作する２つの送信回路を含み、２つの送信回路は統合されて２つの送信回路が属する独立回路モジュールＤの１つの第一ポートに結合される。受信集積回路は２つの受信回路を含み、２つの受信回路は統合されて２つの受信回路が属する独立回路モジュールＤの１つの第二ポートに結合される。独立回路モジュールＥは２つの受信集積回路を含む。各受信集積回路は２つの受信回路を含み、２つの受信回路は統合されて独立回路モジュールＥの１つの第二ポートに結合される。
【００４３】
１つの可能な実施形態において、図４Ｄに示されたように、無線通信装置１００の無線周波数回路３０は、論理的に２つの送信集積回路及び４つの受信集積回路を含む。無線周波数回路３０は、物理的に４つの独立回路モジュールを含む。４つの独立回路モジュールは、２つの第一独立回路モジュール及び２つの第二独立回路モジュールを含む。本実施形態において、第一独立回路モジュールは独立回路モジュールＦとして具現され、第二独立回路モジュールは独立回路モジュールＧとして具現される。各独立回路モジュールＦは１つの送信集積回路及び１つの受信集積回路を含む。送信集積回路は、異なる周波数帯域で動作する２つの送信回路を含み、２つの送信回路は統合されて２つの送信回路が属する独立回路モジュールＦの１つの第一ポートに結合される。受信集積回路は２つの受信回路を含み、２つの受信回路は統合されて２つの受信回路が属する独立回路モジュールＦの１つの第二ポートに結合される。各独立回路モジュールＧは１つの受信集積回路を含む。受信集積回路は２つの受信回路を含み、２つの受信回路は統合されて２つの受信回路が属する独立回路モジュールＧの１つの第二ポートに結合される。
【００４４】
１つの可能な実施形態において、図４Ｅに示されたように、無線通信装置１００の無線周波数回路３０は、論理的に２つの送信集積回路及び４つの受信集積回路を含む。無線周波数回路３０は、物理的に６つの独立回路モジュールを含む。６つの独立回路モジュールは、２つの第一独立回路モジュール及び４つの第二独立回路モジュールを含む。本実施形態において、第一独立回路モジュールは独立回路モジュールＨとして具現され、第二独立回路モジュールは独立回路モジュールＩとして具現される。各独立回路モジュールＨは、１つの送信集積回路を含む。送信集積回路は、異なる周波数帯域で動作する２つの送信回路を含み、２つの送信回路は統合されて２つの送信回路が属する独立回路モジュールＨの１つの第一ポートに結合される。各独立回路モジュールＩは、１つの受信集積回路を含む。受信集積回路は２つの受信回路を含み、２つの受信回路は統合されて２つの受信回路が属する独立回路モジュールＩの１つの第二ポートに結合される。
【００４５】
送信回路及び受信回路の具体的な構成、マルチウェイスイッチ１０に関連する用語の定義は、前述の実施形態と同様であるので、ここでは再び説明しない。さらに、無線周波数回路３０とマルチウェイスイッチ１０の整合形態は図面の構造を含むが、これに限定されなく、これはただ例示であることを理解されるべきである。
【００４６】
マルチウェイスイッチ１０が４Ｐ６Ｔスイッチであり、ｍ＝２である場合（即ち、マルチウェイスイッチ１０は２つの第一Ｔポートを含む）、本実施形態のマルチウェイスイッチ１０は、無線通信装置１００がデュアル周波数デュアル送信モードで動作できるようにすることができ、５Ｇ  ＮＲで４ポートＳＲＳスイッチングをサポートする端末のＲＦアーキテクチャを簡素化し、送信経路と受信経路のスイッチの数量を減少し、経路損失を減らすことに役立ち、従って送信電力/感度を向上させ、５Ｇ  ＮＲのデータ伝送速度を改善し、携帯電話のアップリンク及びダウンリンクのカバレッジを改善し、消費電力を削減する。
【００４７】
上述した受信回路及び送信回路は、様々な方法で実現できることを理解できる。本発明の実施形態は特に限定しない。
【００４８】
１つの可能な実施形態において、各受信回路は、１つの低雑音増幅器（ＬＮＡ）及び１つのフィルタを含む。フィルタは、独立回路モジュールの１つの第二ポートに結合された入力ポートと、ＬＮＡの入力ポートに結合された出力ポートと、を有する。ＬＮＡは、無線周波数トランシーバの対応するポートに結合された出力ポートを有する。
【００４９】
各送信回路は、１つのパワーアンプ（ＰＡ）、１つのフィルタ及び１つのカプラを含む。ＰＡは、無線周波数トランシーバの対応するポートに結合された入力ポートと、フィルタの入力ポートに結合された出力ポートと、を有する。フィルタは、カプラの入力ポートに結合された出力ポートを有する。カプラは、独立回路モジュールの１つの第一ポートに結合された出力ポートを有する。
【００５０】
各受信集積回路は、単極双投（ＳＰＤＴ）スイッチを介して統合された２つの受信回路によって構成される。ＳＰＤＴスイッチは２つの出力ポート及びフィルタの出力ポートに結合された１つの入力ポートを有し、各出力ポートは２つの受信回路のうちの１つの受信回路のＬＮＡの入力ポートに結合され、フィルタは独立回路モジュールの第二ポートに結合された入力ポートを有する。
【００５１】
各送信集積回路は、スイッチを介して統合された２つの送信回路によって構成される。２つの送信回路は異なる周波数帯域で動作し、カプラの入力ポートを共有し、カプラの出力ポートは独立回路モジュールの第一ポートに結合される。
【００５２】
上述した実施形態において、Ｎｘは５Ｇ ＮＲの無線通信装置がサポートする第一周波数帯域を表し、Ｎｙは５Ｇ ＮＲの無線通信装置がサポートする第二周波数帯域を表し、第一周波数帯域と第二周波数帯域は重複しない。
【００５３】
図５に示されたように、無線周波数システムが提供される。無線周波数システムは、図４Ａに示された２つの独立回路モジュール、無線周波数トランシーバ及び上記の実施形態で説明したマルチウェイスイッチを含む。無線周波数トランシーバはオプションであることに注意されたい。
【００５４】
図５を参照すると、ＴＸは信号送信機能をサポートするポートを表し、ＲＸは信号受信機能をサポートするポートを表す。
【００５５】
上述した無線周波数回路とマルチウェイスイッチの整合形態は図面の構造を含むが、これに限定されなく、これはただ例示であることを理解されるべきである。
【００５６】
１つの可能な実施形態において、４つのアンテナは、第一アンテナ、第二アンテナ、第三アンテナ及び第四アンテナを含む。これらの４つのアンテナは、すべて５Ｇ ＮＲ周波数帯域で使用することができる。
【００５７】
５Ｇ ＮＲ周波数帯域は、例えば、３．３ＧＨｚ〜３．８ＧＨｚ及び４．４ＧＨｚ〜５ＧＨｚを含むことができる。
【００５８】
１つの可能な実施形態において、４つのアンテナは、第一アンテナ、第二アンテナ、第三アンテナ及び第四アンテナを含む。第一アンテナと第四アンテナは、長期進化（Ｌｏｎｇ Ｔｅｒｍ Ｅｖｏｌｕｔｉｏｎ，ＬＴＥ）周波数帯域と５Ｇ ＮＲ周波数帯域で作動可能なアンテナである。第二アンテナ及び第三アンテナは、５Ｇ ＮＲ周波数帯域のみで作動可能なアンテナである。
【００５９】
第一アンテナ及び第四アンテナは、ＬＴＥ端末上の一部の周波数帯域でＤＬ ４×４ ＭＩＭＯをサポートすることを目的とする。この２つのアンテナは５Ｇ ＮＲと共有される（以下、「共有アンテナ」と呼ぶ）。ＬＴＥ周波数帯域は、例えば、１８８０ＭＨｚ〜１９２０ＭＨｚ及び２４９６ＭＨｚ〜２６９０ＭＨｚを含むことができる。
【００６０】
１つの可能な実施形態において、図６に示されたように、アンテナシステムは、第一コンバイナ及び第二コンバイナをさらに含む。第一コンバイナは、第一アンテナに結合するために用いられる第一ポートと、無線周波数システムのＬＴＥ ４×４  ＭＩＭＯの第一受信経路に結合するために用いられる第二ポートと、マルチウェイスイッチの対応するＰポートに結合するために用いられる第三ポートと、を含む。第二コンバイナは、第四アンテナに結合するために用いられる第一ポートと、無線周波数システムのＬＴＥ ４×４ ＭＩＭＯの第二受信経路に結合するために用いられる第二ポートと、マルチウェイスイッチの対応するＰポートに結合するために用いられる第三ポートと、を含む。
【００６１】
ＬＴＥ  ４×４  ＭＩＭＯはダウンリンクＬＴＥ受信回路であり、第三受信経路として定義することができる。ＬＴＥには、現在２つの受信経路があるので、ＬＴＥ  ４×４  ＭＩＭＯをサポートするために、第三受信経路と第四受信経路が追加される。
【００６２】
ｍ個のポートのみが送信に使用される場合、無線通信装置は、４つのＮＲアンテナの性能に応じて、回路のＰＲＸ（プライマリレシーバー（ｐｒｉｍａｒｙ  ｒｅｃｅｉｖｅｒ））に良い性能を有するアンテナを配置し、アンテナはスタンバイ状態になる。送信機能と受信機能の両方を有するスイッチのｍ個のポートをＴＸ（送信）とＰＲＸとして使用することができ、アンテナを任意に切り替えることができ、共有アンテナのポート間の結合を制限することを必要としない。
【００６３】
１つの可能な実施形態において、図７に示されたように、アンテナシステムは、第一ＳＰＤＴスイッチ及び第二ＳＰＤＴスイッチをさらに含む。第一ＳＰＤＴスイッチは、第一アンテナに結合するために用いられる第一ポートと、無線周波数システムのＬＴＥ  ４×４  ＭＩＭＯの第一受信経路に結合するために用いられる第二ポートと、マルチウェイスイッチの対応するＰポートに結合するために用いられる第三ポートと、を含む。第二ＳＰＤＴスイッチは、第四アンテナに結合するために用いられる第一ポートと、無線周波数システムのＬＴＥ  ４×４  ＭＩＭＯの第二受信経路に結合するために用いられる第二ポートと、マルチウェイスイッチの対応するＰポートに結合するために用いられる第三ポートと、を含む。
【００６４】
本発明の方案は、互いに組み合わせるか、又は置き換えることができる。例えば、上記のアンテナシステム及び/又はマルチウェイスイッチは、以下の無線周波数システム及び無線通信装置に使用するか又は組み合わせることができる。なお、本発明の「アンテナシステム及び/又はマルチウェイスイッチ」は、「アンテナシステム又はマルチウェイスイッチ」、又は「アンテナシステム及びマルチウェイスイッチ」を意味する。
【００６５】
上述の実施形態に係わるマルチウェイスイッチの技術的特徴の詳細な説明の一部又は全部は、無線周波数システムに使用するか又は組み込むことができることに留意されたい。無線周波数システムは、アンテナシステム及び無線周波数回路をさらに含み、マルチウェイスイッチは無線周波数回路及びアンテナシステムに結合されることができる。
【００６６】
１つの可能な実施形態において、図８は、本発明の別の実施形態に係わる無線周波数システムの構造を示す概略図である。無線周波数システムは、アンテナシステムと、無線周波数回路と、無線周波数回路及びアンテナシステムに結合されたマルチウェイスイッチと、を含む。マルチウェイスイッチは、６つのＴポート及び４つのＰポートを含む。６つのＴポートは、送信機能のみをサポートする２つの第一Ｔポートと、受信機能のみをサポートする４つの第二Ｔポートを含む。２つの第一Ｔポートのそれぞれは４つのＰポートに全部結合される。マルチウェイスイッチは、４６個の電界効果トランジスタを含む。アンテナシステムは、４つのＰポートに対応する４つのアンテナを含む。マルチウェイスイッチは、４つのアンテナによってＳＲＳを順番に送信するプリセット機能を実現するために用いられる。
【００６７】
１つの実施形態において、４つの第二Ｔポートのそれぞれは４つのＰポートのうちの１つのＰポートに結合され、４つの第二Ｔポートのうちの同じ周波数帯域のＴポートは異なるＰポートに結合される。４つのＰポートのそれぞれは、４つのアンテナのうちの対応するアンテナに結合される。具体的には、図１〜２に示されたように、４つの第二Ｔポートと４つのＰポートは１対１で対応して結合される。４つのＰポートと４つのアンテナは１対１で対応して結合される。
【００６８】
１つの実施形態において、４つのアンテナは、第一アンテナ、第二アンテナ、第三アンテナ及び第四アンテナを含む。第一アンテナ、第二アンテナ、第三アンテナ及び第四アンテナは、５Ｇ ＮＲ周波数帯域で動作可能なアンテナである。
【００６９】
１つの実施形態において、４つのアンテナは、第一アンテナ、第二アンテナ、第三アンテナ及び第四アンテナを含む。第一アンテナと第四アンテナは、ＬＴＥ周波数帯域及び５Ｇ ＮＲ周波数帯域で動作可能なアンテナである。第二アンテナ及び第三アンテナは、５Ｇ ＮＲ周波数帯域のみで動作可能なアンテナである。
【００７０】
第一アンテナ及び第四アンテナは、ＬＴＥ端末上の一部の周波数帯域でＤＬ ４×４ ＭＩＭＯをサポートすることを目的とする。この２つのアンテナは５Ｇ ＮＲと共有される。
【００７１】
１つの可能な実施形態において、アンテナシステムは、第一コンバイナ及び第二コンバイナをさらに含む。第一コンバイナは、第一アンテナに結合された第一ポートと、無線周波数システムのＬＴＥ ４×４  多入力多出力（ＭＩＭＯ）の第一受信経路に結合された第二ポートと、マルチウェイスイッチの対応するＰポートに結合された第三ポートと、を含む。第二コンバイナは、第四アンテナに結合された第一ポートと、無線周波数システムのＬＴＥ ４×４ ＭＩＭＯの第二受信経路に結合された第二ポートと、マルチウェイスイッチの対応するＰポートに結合された第三ポートと、を含む。
【００７２】
ＬＴＥ  ４×４  ＭＩＭＯはダウンリンクＬＴＥ受信回路であり、第三受信経路として定義することができる。ＬＴＥには、現在２つの受信経路があるので、ＬＴＥ  ４×４  ＭＩＭＯをサポートするために、第三受信経路と第四受信経路が追加される。
【００７３】
ｍ個のポートが送信に使用される場合、無線通信装置は、４つのＮＲアンテナの性能に応じて、回路のＰＲＸ（プライマリレシーバー（ｐｒｉｍａｒｙ  ｒｅｃｅｉｖｅｒ））に良い性能を有するアンテナを配置し、アンテナはスタンバイ状態になる。送信機能と受信機能の両方を有するスイッチのｍ個のポートをＴＸ（送信）とＰＲＸとして使用することができ、アンテナを任意に切り替えることができ、共有アンテナのポート間の結合を制限することを必要としない。
【００７４】
１つの可能な実施形態において、アンテナシステムは、第一ＳＰＤＴスイッチ及び第二ＳＰＤＴスイッチをさらに含む。第一ＳＰＤＴスイッチは、第一アンテナに結合された第一ポートと、無線周波数システムのＬＴＥ  ４×４  ＭＩＭＯの第一受信経路に結合された第二ポートと、マルチウェイスイッチの対応するＰポートに結合された第三ポートと、を含む。第二ＳＰＤＴスイッチは、第四アンテナに結合された第一ポートと、無線周波数システムのＬＴＥ  ４×４  ＭＩＭＯの第二受信経路に結合された第二ポートと、マルチウェイスイッチの対応するＰポートに結合された第三ポートと、を含む。
【００７５】
１つの可能な実施形態において、図９は、本発明の実施形態に係わる無線通信装置の構造を示す概略図である。無線通信装置は、例えば、端末装置、基地局などであることができ、アンテナシステムと、無線周波数トランシーバと、無線周波数トランシーバに結合された無線周波数回路と、無線周波数回路及びアンテナシステムに結合されたマルチウェイスイッチと、を含む。
【００７６】
マルチウェイスイッチは、６つのＴポート及び４つのＰポートを含む。６つのＴポートは２つの第一Ｔポートを含み、２つの第一Ｔポートのそれぞれは４つのＰポートに全部結合される。２つの第一Ｔポートは、送信機能のみをサポートする。アンテナシステムは、４つのＰポートに対応する４つのアンテナを含む。
【００７７】
マルチウェイスイッチは、４つのアンテナによってＳＲＳを順番に送信するプリセット機能を実現するために用いられる。
【００７８】
６つのＴポートは、４つの第二Ｔポートをさらに含む。４つの第二Ｔポートのそれぞれは４つのＰポートのうちの１つのＰポートに結合され、４つの第二Ｔポートのうちの同じ周波数帯域のＴポートは異なるＰポートに結合される。４つのＰポートのそれぞれは、４つのアンテナのうちの対応するアンテナに結合される。４つの第二Ｔポートは、受信機能のみをサポートする。
【００７９】
４つのアンテナは、第一アンテナ、第二アンテナ、第三アンテナ及び第四アンテナを含む。第一アンテナと第四アンテナは、ＬＴＥ周波数帯域及び５Ｇ ＮＲ周波数帯域で動作可能なアンテナである。第二アンテナ及び第三アンテナは、５Ｇ ＮＲ周波数帯域のみで動作可能なアンテナである。
【００８０】
さらに、図１０に示されるように、本発明の実施形態で説明されるアンテナシステムの４つのアンテナは、無線通信装置の無線充電受信機（ｗｉｒｅｌｅｓｓ  ｃｈａｒｇｉｎｇ  ｒｅｃｅｉｖｅｒ）によって再利用することもできる。無線充電受信機は、受信アンテナ及び受信制御回路を含む。受信アンテナは、無線充電送信機（ｗｉｒｅｌｅｓｓ  ｃｈａｒｇｉｎｇ  ｔｒａｎｓｍｉｔｔｅｒ）の送信アンテナと一致する（周波数が同じ又は類似している場合に共振し、放射性共振磁気結合方式でエネルギーを無線伝送方式で伝送する）。受信制御回路は、ループアレイアンテナによってエネルギーを直流（ＤＣ）に変換してから出力して、バッテリーを充電する。受信制御回路は、ループアレイアンテナの周波数を動的に調整することにより、ループアレイアンテナの周波数を無線充電送信機の送信アンテナの周波数と一致させて、ペアリングされた充電を達成することができる。あるいは、受信制御回路は、リアルタイムで無線充電送信機と周波数変更範囲について対話して、「排他的な暗号化」無線充電モードを実現することができる。
【００８１】
受信アンテナは、４つのアンテナのうちの少なくとも１つのアンテナからなるアンテナであることができる（複数のアンテナの場合、複数のアンテナはスイッチによってストローブされる）。
【００８２】
例えば、図１１に示されたように、受信アンテナは、上述した４つのアンテナを含むループアレイアンテナである。４つのアンテナは、アンテナ１、アンテナ２、アンテナ３及びアンテナ４を含む。アンテナ１及びアンテナ４は、ＬＴＥ周波数帯域と５Ｇ ＮＲ周波数帯域の両方で動作可能であるが、アンテナ２及びアンテナ３は、５Ｇ ＮＲ周波数帯域のみで動作可能である。アンテナ１のポートとアンテナ４のポートは、ループアレイアンテナのポートとして使用される。隣接するアンテナの間は、絶縁機能を有するゲート回路１７０によって結合される。ゲート回路１７０は、スペーサー１７１及びスイッチ１７２を含み、スペーサー１７１は導体であり、スイッチ１７２はさらにコントローラーに結合される。無線通信装置は、無線充電モードで各ゲート回路１７０のスイッチ１７２を導通させて、エネルギーを受信するループアレイアンテナを形成することができる。アンテナの間にスペーサ１７１を追加することにより、ゲート回路１７０は、通常の通信モードにおける無線通信装置の複数のアンテナの間の相互結合を低減し、複数のアンテナ間の分離を改善し、アンテナの性能を最適化する一方、スイッチ１７１によって複数のアンテナを直列に結合してループアレイアンテナを形成することにより、送信アンテナとの一致性を高めてエネルギーを伝送することができる。アンテナ１及びアンテナ４の能力はアンテナ２及びアンテナ３の能力よりも強いので、このように配置されたループアレイアンテナは、エネルギー伝送損失を極力低減することができる。具体的には、図１１に示されたように、アンテナ１とアンテナ４は隣接しないように配置される。アンテナ１とアンテナ４を隣接して配置する場合と比較して、アンテナ１とアンテナ４を隣接しないように配置する場合、以下の利点がある。アンテナ１とアンテナ４を隣接して配置すると、アンテナ１とアンテナ４の両方がＬＴＥ周波数帯域と５Ｇ ＮＲ周波数帯域の両方で動作可能であるので、アンテナ１とアンテナ４の間の周波数のオーバーラップが大きくなり、従ってアンテナ１とアンテナ４の間の相互結合が増加し、アンテナ１のインピーダンスとアンテナ４のインピーダンスを一致させることがさらに困難になり、送信過程のエネルギー損失が増加する。また、アンテナ１とアンテナ４を隣接して配置する場合の影響は、アンテナ２とアンテナ３を隣接して配置する場合の影響より大きく、アンテナ１とアンテナ４を隣接しないように配置する場合の利点は、アンテナ２とアンテナ３を隣接しないように配置する場合の利点より大きい。そのため、図１１に示されたように配置すると、アンテナ１及びアンテナ４はアンテナ２及びアンテナ３よりさらに強い能力（エネルギー伝送効率）を有し、伝送性能を向上させる。
【図１】
2021507638.tif 000003
【図２】
2021507638.tif 000004
【図３】
2021507638.tif 000005
【図４Ａ】
2021507638.tif 000006
【図４Ｂ】
2021507638.tif 000007
【図４Ｃ】
2021507638.tif 000008
【図４Ｄ】
2021507638.tif 000009
【図４Ｅ】
2021507638.tif 000010
【図５】
2021507638.tif 000011
【図６】
2021507638.tif 000012
【図７】
2021507638.tif 000013
【図８】
2021507638.tif 000014
【図９】
2021507638.tif 000015
【図１０】
2021507638.tif 000016
【図１１】
2021507638.tif 000017
【国際調査報告】
2021507638.tif 000018
2021507638.tif 000019
2021507638.tif 000020